(57)【要約】【課題】  計測データ収集元の一連のデータ要求の先頭に識別コードのようなデータラッチ用の電文を付加したシステムに比べ、短いデータ収集周期でデータの同時性を確保する。【解決手段】  被計測要素の計測デ−タをデ−タバッファ１３２にラッチする計測装置１Ａ〜１Ｎ、及びデ−タ要求により前記デ−タバッファ１３２にラッチされている計測デ−タから伝送されることにより収集すべき被計測要素の計測デ−タを収集する計測データ収集元３を備えた計測システムであって、前記デ−タバッファ１３２にラッチされている計測デ−タを前記計測データ収集元３へ伝送したかどうかの伝送履歴を記録する伝送履歴ファイル１３３を設け、この伝送履歴ファイル１３３に記録の伝送履歴情報に基づいて前記被計測要素の計測デ−タを前記デ−タバッファにラッチする。【選択図】図１
2005165770.tif 000002
【特許請求の範囲】
【請求項１】
被計測要素の計測デ−タをデ−タバッファにラッチする計測装置、及びデ−タ要求により前記デ−タバッファにラッチされている計測デ−タから伝送されることにより収集すべき被計測要素の計測デ−タを収集する計測データ収集元を備えた計測システムであって、前記デ−タバッファにラッチされている計測デ−タを前記計測データ収集元へ伝送したかどうかの伝送履歴を記録する伝送履歴ファイルを有し、この伝送履歴ファイルに記録の伝送履歴情報に基づいて前記被計測要素の計測デ−タを前記デ−タバッファにラッチ計測システム。
【請求項２】
請求項１に記載の計測システムにおいて、前記計測データ収集元が複数個の前記計測装置から計測デ−タを収集する場合、前記計測データ収集元は収集すべき複数の被計測要素の計測デ−タの全てを一の前記計測装置から収集するまでに他の前記計測装置からも前記収集すべき被計測要素の計測デ−タを収集することを特徴とする計測システム。
【請求項３】
請求項１および請求項２の何れか一に記載の計測システムにおいて、前記計測デ−タ収集の通信方式をポーリング方式としてあると共に、その通信プロトコルとしてデータラッチコマンドが無い通信プロトコルを適用してあることを特徴とする計測システム。
【請求項４】
被計測要素の計測デ−タをデ−タバッファにラッチし当該デ−タバッファにラッチしてある計測デ−タを計測データ収集元へ伝送する計測装置であって、前記デ−タバッファにラッチされている計測デ−タを前記計測データ収集元へ伝送したかどうかの伝送履歴を記録する伝送履歴ファイルを有し、この伝送履歴ファイルに記録の伝送履歴情報に基づいて前記被計測要素の計測デ−タを前記デ−タバッファにラッチする計測装置。
【発明の詳細な説明】
【技術分野】
【０００１】
この発明は、例えばビルや工場等の受配電監視システムなどに適用され、中央監視装置等の計測データ収集元へ計測装置から計測データを伝送する計測システムおよび当該計測システムに使用される計測装置に関するものである。
【背景技術】
【０００２】
計測装置から計測データ収集元へ計測データを伝送する従来のシステムにおいては、例えば、特開平５−２０７５５７号公報（特許文献１）にも掲載されているように、監視盤（計測データ収集元）からのデ−タ要求は、計測装置における計測デ−タのデ−タメモリへの保存処理とは関係無く行われる為、デ−タ要求に応じて前記デ−タメモリの計測デ−タを順次読み出していくと、時間のずれが生じ、当該読み出した計測デ−タは、同時期のデ−タではなくなり、計測デ−タを誤って読み出す恐れがある。そこで、計測デ−タを誤って読み出す恐れを解消するように、前記特開平５−２０７５５７号公報（特許文献１）に記載のシステムは空調機器の制御システムに適用した事例ではあるが、監視盤（計測データ収集元）からのデータ要求の先頭部に識別コードを付加し、当該識別コードによって、前記デ−タメモリの計測デ−タを伝送用バッファへラッチすることでデータの同時性を確保している。
【０００３】
【特許文献１】特開平５−２０７５５７号公報（図１及び図２、段落番号０００１〜０００９）
【発明の開示】
【発明が解決しようとする課題】
【０００４】
特許文献１に記載のような従来のシステムにおいては、監視盤（計測データ収集元）からのデータ要求の先頭部の識別コードによって計測データを伝送バッファへラッチするようにしてあるので、監視盤（計測データ収集元）がデータ収集した計測デ−タの同時性を確保することはできるが、監視盤（計測データ収集元）の一連のデータ要求の先頭に必ず識別コードを付加して送信する必要があり、監視盤（計測データ収集元）によるデータ収集の周期が長くなる。
【０００５】
この発明は、前述のような従来の実情に鑑みてなされたもので、計測システムにおいて、計測データ収集元の一連のデータ要求の先頭に識別コードのようなデータラッチ用の電文を付加した従来のシステムに比べ、短いデータ収集周期でデータの同時性を確保することができるようにすることを目的とするものである。
【課題を解決するための手段】
【０００６】
この発明に係る計測システムは、被計測要素の計測デ−タをデ−タバッファにラッチする計測装置、及びデ−タ要求により前記デ−タバッファにラッチされている計測デ−タから伝送されることにより収集すべき被計測要素の計測デ−タを収集する計測データ収集元を備えた計測システムであって、前記デ−タバッファにラッチされている計測デ−タを前記計測データ収集元へ伝送したかどうかの伝送履歴を記録する伝送履歴ファイルを有し、この伝送履歴ファイルの記録情報に基づいて前記被計測要素の計測デ−タを前記デ−タバッファにラッチするものである。
【発明の効果】
【０００７】
この発明は、被計測要素の計測デ−タをデ−タバッファにラッチする計測装置、及びデ−タ要求により前記デ−タバッファにラッチされている計測デ−タから伝送されることにより収集すべき被計測要素の計測デ−タを収集する計測データ収集元を備えた計測システムであって、前記デ−タバッファにラッチされている計測デ−タを前記計測データ収集元へ伝送したかどうかの伝送履歴を記録する伝送履歴ファイルを有し、この伝送履歴ファイルの記録情報に基づいて前記被計測要素の計測デ−タを前記デ−タバッファにラッチするので、従来のシステムのように計測データ収集元の一連のデータ要求の先頭に識別コードのようなデータラッチ用の電文を付加する必要は無く、計測データ収集元からは計測データ要求のみで伝送用バッファ内の計測データのラッチを行うことができ、データ収集の周期が短時間となる効果がある。
【発明を実施するための最良の形態】
【０００８】
実施の形態１．
以下、この発明の実施の形態１を例えばビルや工場等の受配電監視システムなどに使用する計測システムに適用した場合の事例について図１〜図３により説明する。図１は計測システム全体の構成の一例を示すブロック図、図２は図１における伝送機能付き計測装置の伝送バッファ制御部の動作を説明するフローチャートの一例を示す図、図３は伝送履歴の一例としての伝送有り無しフラグのデータ構成の一例を示す図である。
【０００９】
図１において、計測システムは、電圧や電流等の被計測量を計測しその結果を計測デ−タとして保存する伝送機能付きの複数の計測装置１Ａ〜１Ｎと、これら複数の計測装置１Ａ〜１Ｎに対して伝送ライン２を介してデ−タ要求を行い当該計測装置１Ａ〜１Ｎに保存された前記計測デ−タから前記被計測量の状態の監視に利用したりしたりビルや工場等の各種機器の制御に利用したりする計測データ収集元３とから構成されている。
【００１０】
前記計測装置１Ａ〜１Ｎは、それぞれ、Ａ／Ｄ変換回路１１と、計測演算部１２と、メモリ１３と、伝送用バッファ制御部１４と、伝送制御部１５とで構成されている。なお、前記計測装置〜１Ｎについては、その構成および機能が前記計測装置１Ａと同じであるので、前記Ａ／Ｄ変換回路１１、前記計測演算部１２、前記メモリ１３、前記伝送用バッファ制御部１４、および前記伝送制御部１５の図示は省略してある。
【００１１】
前記メモリ１３は、データメモリ１３１と、伝送用バッファ１３２と、伝送履歴ファイル（本実施の形態では伝送履歴の一例として伝送有り無しフラグを例示してある）１３３とを有している。
【００１２】
前記Ａ／Ｄ変換回路１１は、図示しない変圧器や変流器などにより外部から入力された電圧，電流等の被計測要素のアナログ値の計測量をデジタル値に変換するものである。
【００１３】
前記計測演算部１２は、前記Ａ／Ｄ変換回路１１の出力を入力し前記デジタル値の被計測量から電圧実効値、電流実効値、電力、無効電力、力率、電力量、無効電力量等の被計測要素の値を演算により導出する。この演算により導出された各種の被計測要素の値（各種計測量）等の演算結果は、逐次、前記データメモリ１３１へ計測デ−タとして記憶される。
【００１４】
前記計測デ−タ収集元３は、前記伝送ライン２を介して伝送機能付きの前記計測装置１Ａ〜１Ｎへデータ要求を行う。前記計測デ−タ収集元３が前記計測装置１Ａへデータ要求を行うと、計測装置１Ａ内の伝送制御部１５が当該データ要求を受信し、前記伝送バッファ制御部１４が前記伝送用バッファ１３２内の当該データ要求に該当する計測データを読み出し、読み出された計測データを前記伝送制御部１５が前記計測デ−タ収集元３へ伝送する。このようにして前記計測デ−タ収集元３によるデータ収集は行われる。なお、前記計測装置〜１Ｎについても、前記計測装置１Ａの場合と同様にして前記計測デ−タ収集元３によるデータ収集が行われる。
【００１５】
なお、前記計測デ−タ収集元３と前記計測装置１Ａ〜１Ｎとの間のネットワーク通信のネットワークプロトコルは特に問わないが、後述のように、前記デ−タバッファ１３２にラッチされている計測デ−タを前記計測データ収集元３へ伝送したかどうかの伝送履歴を記録する伝送履歴ファイル１３３を設け、この伝送履歴ファイル１３３の記録情報に基づいて前記被計測要素の計測デ−タを前記デ−タバッファ１３２にラッチするようにしてあることから、データラッチコマンドの無い既設の計測システムに適用できるので、例えば、PROFIBUS、CC−LINK（Control & Communication Link）など、データラッチコマンドの無いネットワークプロトコルを利用したポーリング方式でデータ収集をすることが好ましい。
【００１６】
次に、前記伝送バッファ制御部１４の動作を図２のフローチャートにより説明する。
【００１７】
本計測装置を起動すると、伝送バッファ制御部１４は、先ず、伝送履歴ファイル１３３の（本実施の形態においては伝送履歴の例として伝送有り無しのフラグで説明する）の初期化を行い、図３（ａ）に示すように、電圧、電流、電力、無効電力、力率、電力量、無効電力量、・・・等の各被計測要素に対応のフラグの全てを、「有り（１）」に設定する（ステップＳＴ２０１）。このステップＳＴ２０１における初期化によって、計測デ−タ収集元３からの最初のデータ要求時には必ず、データメモリ１３１から伝送用バッファ１３２へ、各被計測要素の全計測データがラッチされる。
【００１８】
次に、伝送バッファ制御部１４は伝送制御部１０８からのデータ要求を待ち、伝送制御部１０８からのデータ要求の有無を判定する（ステップＳＴ２０２）。このステップＳＴ２０２においては、伝送制御部１０８からのデータ要求（＝最初のデータ要求）が発生すると、「データ要求あり（ＹＥＳ）」と判定する。
【００１９】
前記ステップＳＴ２０２が「データ要求あり（ＹＥＳ）」と判定すると、伝送履歴ファイル１３３の伝送履歴（伝送有り無しフラグ）に基づいて当該デ−タ要求に該当する被検出要素の計測データの伝送有り無しを判定する（ステップＳＴ２０３）。
【００２０】
前記ステップＳＴ２０３において、計測デ−タ収集元３からの最初のデータ要求時には、前述のように伝送履歴を表すフラグの全てが「伝送有り（１）」となっている（図３（ａ）を参照）。従って、計測デ−タ収集元３からの最初のデータ要求時に、どの被計測要素のデータ要求が計測デ−タ収集元３から行われても、伝送バッファ制御部１４は、データメモリ１３１から全計測データを伝送用バッファ１３２へラッチし（ステップＳＴ２０４）、
【００２１】
伝送履歴ファイル１３３をリセットして、伝送有り無しフラグの全データを「伝送無し（０）」（図３（ｂ）を参照）へ変更する（ステップＳＴ２０５）。
【００２２】
前述のようにステップＳＴ２０４においてデータメモリ１３１から全計測データが伝送用バッファ１３２へラッチされ、前記ステップＳＴ２０５において伝送有り無しフラグの全データが「伝送無し（０）」へ変更されると、伝送バッファ制御部１４は、計測デ−タ収集元３からデータ要求された被計測要素の計測データを伝送用バッファ１３２から読み出して伝送制御部１５へ出力し（ステップＳＴ２０６）、
【００２３】
伝送用バッファ１３２から読み出した計測データに対応する伝送履歴ファイル１３３の被計測要素の伝送有り無しフラグを「伝送有り（１）」（図３（ｃ）を参照）に変更する（ステップＳＴ２０７）。なお、図３（ｃ）は、計測デ−タ収集元３からのデータ要求が電圧、電流、電力の３つの被計測要素であり、当該３つの被計測要素の各計測データを伝送用バッファ１３２から読み出して伝送制御部１５へ出力し、伝送用バッファ１３２から読み出した計測データに対応する伝送履歴ファイル１３３の被計測要素（前記３つの被計測要素）の伝送有り無しフラグを「伝送有り（１）」に変更した場合の事例を示してある。
【００２４】
一方、前記ステップＳＴ２０３での判定結果が「伝送無し（ＮＯ）」の場合は、伝送用バッファ１３２にラッチされている計測デ−タは変更せずに、前記ステップＳＴ２０６へ進み、伝送用バッファ１３２に既にラッチされている計測データから、前記データ要求された計測データを読み出して伝送制御部１５へ出力する。
【００２５】
なお、図３は、伝送履歴ファイル１３３の伝送履歴の一例として「伝送有り無しフラグ（１）（０）」を使用した場合のファイル構造およびファイル内情報の一例を、計測装置１の装置起動時（ａ）、リセット時（ｂ）、および計測デ−タ収集元３からのデ−タ要求への応答後、の夫々の場合について例示してあり、計測データ被計測要素毎に伝送有り無しの情報（フラグ）を付加している。
【００２６】
以下、監視計測システム全体の動作を具体的に説明する。
【００２７】
前述のように構成された伝送機能付きの計測装置においては、中央監視装置等の計測デ−タ収集元３が、各種被計測要素のうちの電流、電圧、電力について、ポ−リング方式により、電流、電圧、電力の順に、計測装置１Ａに対して一連のデータ要求をする場合の例について説明する（計測装置１Ａ〜１Ｎを代表して計測装置１Ａについて説明する）と、先ず、計測装置１Ａを起動すると、図２におけるステップＳＴ２０１において、伝送バッファ制御部１４は、伝送履歴ファイル１３３の全ての被計測要素（即ち、電圧、電流、電力、無効電力、力率、電力量、無効電力量、・・・等）の夫々の伝送履歴情報である伝送有り無しフラグの伝送有り無しを、図３（ａ）に示すように、一度に（ミクロには同時とは限らない）全て「伝送有り（１）」に設定する。
【００２８】
計測装置１Ａの起動後に、計測デ−タ収集元３から、先ず、計測装置１Ａに対して電流値の要求があると、前述のように、伝送履歴ファイル１３３における電流に関する伝送有り無しフラグが、図３（ａ）に示すように「伝送有り（１）」であるので、データメモリ１３１の全ての被計測要素の計測データの全てが伝送用バッファ１３２へラッチされ、伝送用バッファ１３２へラッチされた前記全計測データのうちの電流の計測デ−タが計測デ−タ収集元３へ伝送される。
【００２９】
この時、図３（ｂ）に示すように、伝送履歴ファイル１３３における全ての被計測要素の有り無しフラグが「伝送無し（０）」に変更設定された（図２のステップＳＴ２０５）後、電流の伝送履歴ファイル１３３における電流の伝送有り無しフラグのみ「伝送有り（１）」に変更される（図２のステップＳＴ２０７）。
【００３０】
次に、計測装置１Ａに対して電圧値の要求があると、伝送履歴ファイル１３３における電圧に関する伝送有り無しフラグは、前述のように、図２のステップＳＴ２０５において「伝送無し（０）」に変更設定されているので、伝送用バッファ１３２内の電圧の計測デ−タが、伝送バッファ制御部１４により取り出され、伝送制御部１５から伝送ライン２を介して計測デ−タ収集元３へ伝送されると共に、伝送履歴ファイル１３３における電圧の伝送有り無しフラグは「伝送有り（１）」に変更される（図２のステップＳＴ２０７）。
【００３１】
更に、計測装置１Ａに対して電力値の要求があると、伝送履歴ファイル１３３における電力に関する伝送有り無しフラグも、前述のように、図２のステップＳＴ２０５において「伝送無し（０）」に変更設定されているので、伝送用バッファ１３２内の電力の計測デ−タが、伝送バッファ制御部１４により取り出され、伝送制御部１５から伝送ライン２を介して計測デ−タ収集元３へ伝送されると共に、伝送履歴ファイル１３３における電力の伝送有り無しフラグは「伝送有り（１）」に変更される。
【００３２】
前述のようにして、計測デ−タ収集元３からの電流、電圧、電力についての一連のデータ要求に対する計測装置１Ａの応答動作により、前述のように伝送履歴ファイル１３３における電流、電圧、電力の伝送履歴情報である伝送有り無しフラグが、前述のように、何れも「伝送有り（１）」に変更された状態が、図３（ｃ）の状態である。
【００３３】
再び、計測デ−タ収集元３から電流値の要求が発生すると、伝送履歴ファイル１３３における電流の伝送履歴である伝送有り無しフラグは、前述のように、図３（ｃ）に示すように、「伝送有り（１）」に変更設定されているので、データメモリ１３１の全ての被計測要素（即ち、電圧、電流、電力、無効電力、力率、電力量、無効電力量、・・・等）の計測デ−タの全てが伝送用バッファ１３２へラッチされ、伝送用バッファ１３２にラッチされている前記全計測データの更新が行われる。この時、図３（ｂ）に示すように、全ての被計測要素（即ち、電圧、電流、電力、無効電力、力率、電力量、無効電力量、・・・等）の夫々の伝送有り無しフラグの全てが「伝送無し（０）」に設定された（図２のステップＳＴ２０５）後、電流の伝送有り無しフラグのみ「伝送有り（１）」に変更される（図２のステップＳＴ２０７）。
【００３４】
前述のようにして、計測デ−タ収集元３が、各種被計測要素のうちの電流、電圧、電力について、ポ−リング方式により、電流、電圧、電力の順に、計測装置１Ａに対して一連のデータ要求をした場合、計測装置１Ａから計測デ−タ収集元３へ伝送される電流と電圧と電力の各計測デ−タは、同時期に計測、演算された各計測デ−タとなる。即ち、計測デ−タ収集元３からのデ−タ要求が、計測デ−タのデ−タメモリへの保存処理と同期を取らずに行われても、伝送バッファ１３２から取り出す電流、電圧、電力の計測デ−タは、時間的にずれた計測デ−タとなるようなことはなく、しかも、前述の従来システムのように前記一連のデータ要求の先頭に識別コードを付加しなくてもよいので、当該識別コードを付加した従来システムに比べ、計測デ−タ収集元３のデータ収集の周期は短くなり、例えば、計測デ−タ収集元３の収集データを被計測量の状態の監視に利用する場合には表示操作してから画面表示されるまでの時間が短くなったり、また、例えば計測デ−タ収集元３の収集データをビルや工場等の各種機器の制御に利用する場合には当該制御速度が速くなったりする。
【００３５】
前述のように、伝送履歴ファイル１３３を設け、伝送バッファ制御部１４により伝送履歴ファイル１３３における被計測要素毎の電流の伝送有り無しフラグ等の伝送履歴情報に基づいてデータメモリ１３１から伝送用バッファ１０５へのラッチを制御するので、前述の従来システムのように前記計測デ−タ収集元３の一連のデータ要求の先頭に識別コードを付加する等、計測デ−タ収集元３から前記伝送用バッファ１０５への計測デ−タのラッチを行わせるため手段を不要にすることができ、計測デ−タ収集元３のデータ収集の周期が短くなる。
【００３６】
また、計測デ−タ収集元３のデータ収集プログラムも、従来のように複数のデータ要求の先頭に計測データをラッチさせるフラグなどの要求を付加する構造に比較し、データ要求、データ受信の繰り返しの単純構造にできるので、プログラムの作成やメンテナンスも容易になる。
【００３７】
なお、この発明の実施の形態１は前述の通りであるので、概念的に纏めると、被計測要素（電圧、電流、電力、無効電力、力率、電力量、無効電力量、・・・等）の計測デ−タをデ−タバッファ１３２にラッチする計測装置１Ａ〜１Ｎ、及びデ−タ要求により前記デ−タバッファ１３２にラッチされている計測デ−タから伝送されることにより収集すべき被計測要素の計測デ−タを収集する計測データ収集元３を備えた計測システムであって、前記デ−タバッファ１３２にラッチされている計測デ−タを前記計測データ収集元３へ伝送したかどうかの伝送履歴を記録する伝送履歴ファイル１３３を有し、この伝送履歴ファイル１３３に記録の伝送履歴情報に基づいて前記被計測要素の計測デ−タを前記デ−タバッファにラッチする計測システムである。
【００３８】
また、この発明の実施の形態１は前述の通りであるので、観点を変えて概念的に纏めると、被計測要素（電圧、電流、電力、無効電力、力率、電力量、無効電力量、・・・等）の計測デ−タをデ−タバッファ１３２にラッチする計測装置１Ａ〜１Ｎ、及びデ−タ要求により前記デ−タバッファ１３２にラッチされている計測デ−タから伝送されることにより収集すべき被計測要素の計測デ−タを収集する計測データ収集元３を備えた計測システムであって、前記デ−タバッファ１３２にラッチされている計測デ−タを前記計測データ収集元３へ伝送したかどうかの伝送履歴を記録する伝送履歴ファイル１３３を設け、この伝送履歴ファイル１３３に記録の伝送履歴情報に基づいて前記被計測要素の計測デ−タを前記デ−タバッファにラッチする計測システムにおいて、前記計測デ−タ収集の通信方式をポーリング方式としてあると共に、その通信プロトコルとしてデータラッチコマンドが無い通信プロトコルを適用してある計測システムである。
【００３９】
また、この発明の実施の形態１は前述の通りであるので、更に観点を変えて概念的に纏めると、被計測要素（電圧、電流、電力、無効電力、力率、電力量、無効電力量、・・・等）の計測デ−タをデ−タバッファ１３２にラッチし当該デ−タバッファ１３２にラッチしてある計測デ−タを計測データ収集元３へ伝送する計測装置であって、前記デ−タバッファ１３２にラッチされている計測デ−タを前記計測データ収集元３へ伝送したかどうかの伝送履歴を記録する伝送履歴ファイル１３３を有し、この伝送履歴ファイル１３３に記録の伝送履歴情報に基づいて前記被計測要素の計測デ−タを前記デ−タバッファ１３２にラッチする計測装置である。換言すれば、複数の被計測要素（電圧、電流、電力、無効電力、力率、電力量、無効電力量、・・・等）の計測を行い、それらの計測データを伝送する機能を備え、かつ、伝送用に全ての計測データを一旦ラッチする伝送用バッファ１３２を備えた計測装置であって、計測データ収集元３からの計測データのデータ要求に対する応答の履歴を記憶する伝送有り無しの情報を被計測要素毎に記憶し、計測データ収集元３からのデータ要求に対し、伝送有り無しの情報が「伝送有り」の場合に、伝送用バッファ１３２内の全ての計測データを更新し、且つ、伝送有り無しの情報を「伝送無し」にリセットする計測装置であるとも言える。
【００４０】
実施の形態２．
以下、この発明の実施の形態２を、計測データ収集元３が複数の計測装置から同じ被計測要素の計測データを順に収集する場合の一例ついて図４により説明する。図４（ａ）は計測システム全体のブロック図、図４（ｂ）は図４（ａ）における計測データ収集元３による計測データの収集手順を示すフローチャートの一例を示す図である。なお、図４（ａ）において、前述のこの発明の実施の形態１における図１と同一又は相当部分には同一符合を付してある。また、この発明の実施の形態２においては、前述のこの発明の実施の形態１と同一の機能、同一の動作については説明を割愛し、異なる機能および動作について主体的に説明する。
【００４１】
図４（ａ）及び図４（ｂ）は、何れも、計測データ収集元３が、５つの計測装置１Ａ，１Ｂ，１Ｃ，１Ｄ，１Ｅから計測デ−タを収集する事例を示してある。具体的には、計測装置１Ａは電流、電圧、電力、電力量が収集され、計測装置１Ｂは電流、電圧が収集され、計側装置１Ｃ、１Ｄ、１Ｅは電流が収集される例を示してある。
【００４２】
前記計測装置１Ａ，１Ｂ，１Ｃ，１Ｄ，１Ｅは、何れも、前述の図１における前記計測装置１Ａと同一構成、同一機能である。
【００４３】
なお、計測システムにより計測され、収集される被計測要素は、図４（ａ）及び図４（ｂ）に特定されるものではなく、計測システムによって種々異なる。
【００４４】
次に動作について説明する。
【００４５】
中央監視装置等の計測データ収集元３は、計測装置１Ａに電流値データを要求し（ステップＳＴ４０１）、当該計測装置１Ａから電流の計測データを受信し、
【００４６】
その後、計側装置１Ｂに電流値データを要求し（ステップＳＴ４０２）、当該計測装置１Ｂから電流の計測データを受信し、
【００４７】
その後、計側装置１Ｃに電流値データを要求し（ステップＳＴ４０３）、当該計測装置１Ｃから電流の計測データを受信し、
【００４８】
その後、計側装置１Ｄに電流値データを要求し（ステップＳＴ４０４）、当該計測装置１Ｄから電流の計測データを受信し、
【００４９】
その後、計側装置１Ｅに電流値データを要求し（ステップＳＴ４０５）、当該計測装置１Ｅから電流の計測データを受信し、
【００５０】
その後、計側装置１Ａに電圧値データを要求し（ステップＳＴ４０６）、当該計測装置１Ａから電圧の計測データを受信し、
【００５１】
その後、計側装置１Ｂに電圧値データを要求し（ステップＳＴ４０７）、当該計測装置１Ｂから電圧の計測データを受信し、
【００５２】
その後、計側装置１Ａに電力値データを要求し（ステップＳＴ４０８）、当該計測装置１Ａから電力の計測データを受信し、
【００５３】
その後、計側装置１Ａに電力量値データを要求し（ステップＳＴ４０９）、当該計測装置１Ａから電力量の計測データを受信する。
【００５４】
以上のように構成したので、前述の従来システムにおいてデータ要求の先頭に付加していた識別コードが不要であるので、前述のこの発明の実施の形態１と同様の作用効果があるのに加えて、全ての計測装置１Ａ〜１Ｅの電流値のデータ収集をタイムラグ少なく収集できるという効果がある。例えば、電流値をタイムラグ少なく収集できれば、中央監視装置等の計測デ−タ収集元３においては過電流状況をいち早く知ることができる。どの被計測要素から順に収集するかは計測デ−タ収集元３の収集デ−タが利用される監視や制御などの種別により異なる。
【００５５】
なお、この発明の実施の形態２は前述の通りであるので、概念的に纏めると、被計測要素（電圧、電流、電力、無効電力、力率、電力量、無効電力量、・・・等）の計測デ−タをデ−タバッファ１３２にラッチする計測装置１Ａ，１Ｂ，１Ｃ，１Ｄ，１Ｅ、及びデ−タ要求により前記デ−タバッファ１３２にラッチされている計測デ−タから伝送されることにより収集すべき被計測要素の計測デ−タを収集する計測データ収集元３を備えた計測システムであって、前記デ−タバッファ１３２にラッチされている計測デ−タを前記計測データ収集元３へ伝送したかどうかの伝送履歴を記録する伝送履歴ファイル１３３を設け、この伝送履歴ファイル１３３に記録の伝送履歴情報に基づいて前記被計測要素の計測デ−タを前記デ−タバッファにラッチする計測システムにおいて、前記計測データ収集元が複数個の前記計測装置１Ａ，１Ｂ，１Ｃ，１Ｄ，１Ｅから計測デ−タを収集する場合、前記計測データ収集元３は収集すべき複数の被計測要素の計測デ−タの全てを一の前記計測装置から収集するまでに他の前記計測装置からも前記収集すべき被計測要素の計測デ−タを収集する計測システムである。
【図面の簡単な説明】
【００５６】
【図１】この発明の実施の形態１を示す図で、計測システム全体の構成の一例を示すブロック図である。
【図２】この発明の実施の形態１を示す図で、図１における伝送機能付き計測装置の伝送バッファ制御部の動作を説明するフローチャートの一例を示す図である。
【図３】この発明の実施の形態１を示す図で、伝送履歴の一例としての伝送有り無しフラグのデータ構成の一例を示す図である。
【図４】この発明の実施の形態２を示す図で、図４（ａ）は計測システム全体のブロック図、図４（ｂ）は図４（ａ）における計測データ収集元による計測データの収集手順を示すフローチャートの一例を示す図である。
【符号の説明】
【００５７】
１Ａ，１Ｂ，１Ｃ，１Ｄ，１Ｅ，〜１Ｎ    計測装置、
２    伝送ライン、
３    計測データ収集元、
１１    Ａ／Ｄ変換回路、
１２    計測演算部、
１３    メモリ、
１３１    データメモリ、
１３２    伝送用バッファ、
１３３    伝送履歴ファイル、
１４    伝送バッファ制御部、
１５    伝送制御部。
【図１】
2005165770.tif 000003
【図２】
2005165770.tif 000004
【図３】
2005165770.tif 000005
【図４】
2005165770.tif 000006